【事件の表示】
　平成　４年特許願第２８４６７２号「光情報処理素子」拒絶査定に対する審判事件［平成　６年　５月１３日出願公開、特開平　６−１３０４４０］について、次のとおり審決する。
【結　論】
　本件審判の請求は、成り立たない。
【理　由】
１．本件発明
　本願は、平成４年１０月２２日の出願であって、その請求項１に係る発明は、平成１３年７月３０日付手続補正書及び平成１４年２月２２日付手続補正書により補正された明細書及び図面（以下、「本件明細書」という。）の特許請求の範囲の請求項１に記載された次のとおりのものである（以下、「本件発明」という。）。
　
「少なくとも一方の電極が光透過性を有する電極の間に光電変換層と、一定の波長の光照射により変化した導電性を光遮断後も持続させる機能を有するメモリー層とを有し、該メモリー層が、プロトン酸、トリアリールメタン類、ハロゲン化炭化水素、芳香族ハロゲン化合物、ハロゲン化ケトン化合物、ハロゲン化アシル化合物、酸無水物、及びチオケトンから選ばれる化合物を含有することを特徴とする光情報処理素子。」
　
（なお、本願の特許請求の範囲の請求項１に、「・・・トリアリールメタン
酸
類
　
２．引用例記載の発明
　原査定の拒絶の理由に引用された、本件出願前に頒布された刊行物である、欧州特許出願公開第４８２９２０号明細書（以下、「引用例」という。）には、
　
（ア）「In the present invention,the organic molecule film ・・・and the donor molecules receive positive holes.（訳：本発明において、電荷を受け取る作用を有する有機分子膜としては、・・・感光性分子膜の一方の面に形成されたアクセプタ性分子膜もしくはドナー性分子膜が用いられる。アクセプタ性分子は電子を受け取り、ドナー性分子は正孔を受け取る。）」（第３頁第１８行〜第２２行）、
　
（イ）「An organic optical memory element according to・・・or a photosensitive molecule film and an acceptor molecule film.（訳：本発明に係る有機光素子は、一般的に、・・・感光性分子膜及びドナー性分子膜、もしくは感光性分子膜及びアクセプタ性分子膜が順次形成された構造の有機薄膜の両面に電極を形成した構造を有する。）」（第４頁第４７行〜第５１行）、
　
（ウ）「Examples of the donor molecules are ・・・and derivatives containing these skeletons.（訳：ドナー性分子としては、例えばパラフェニレンジアミン、オルトフェニレンジアミン、メタフェニレンジアミン、テトラチアフルバレン、ジセレナジチアフルバレン、テトラセレナフルバレン、テトラセレノテトラセン、キノリン、アクリジン、フェロセン、ベンジジン、ジアミノピレン、ポリジアセチレン、ヒドロキノン、ジメトキシベンゼン、ジアゾベンゼン、フェノチアジンなど、及びこれらの骨格を含む誘導体が挙げられる。）」（第４頁第５６行〜第５頁第１行）、
　
（エ）「Examples of the acceptor molecules are・・・and derivatives containing these skeletons. （訳：アクセプタ性分子としては、例えばテトラシアノキノジメタン、ベンゾキノン、ナフトキノン、アントラキノン、ジニトロベンゼン、トリニトロベンゼン、トリシアノベンゼン、ヘキサシアノベンゼン、トリニトロフルバレノン、クロロベンゾキノン、ジクロロベンゾキノン、トリクロロベンゾキノン、ジクロロジシアノベンゾキノン、シアノベンゾキノン、ジシアノベンゾキノン、トリシアノベンゾキノン、Ｎ，Ｎ′−ジシアノキノンジイミン、Ｎ，Ｎ′−ジスルホニルキノンジイミン、Ｎ−カルボニル−Ｎ′−シアノキノンジイミン、Ｎ−カルボニル−Ｎ′−スルホニルキノンジイミン、Ｎ−スルホニル−Ｎ′−シアノキノンジイミン、Ｎ−スルホニルキノンイミン、Ｎ−シアノキノンイミン、ジチエニレン銅錯体など、及びこれらの骨格を含む誘導体が挙げられる。）」（第５頁第２行〜第８行）、
　
（オ）「Examples of the photosensitive molecules are various dyes such as ・・・squalium dye and the like.（訳：感光性分子としては、種々の色素類、例えばフタロシアニン、金属フタロシアニン錯体、ポルフィリン、金属ポルフィリン錯体、ペリレン、ピレン、メロシアニン色素、ローダミン色素、スクアリウム色素などが挙げられる。）」（第５頁第９行〜第１１行）、
　
（カ）「In the element according to the present invention・・・electrode of at least one side are transparent.（訳：本発明に係る素子において、・・・少なくとも片面側の・・・電極としては透明のものが用いられる。）」（第５頁第２５行〜第２６行）
　
（キ）「In the element according to the present invention・・・whereby providing pairs of electrons and positive holes.（訳：本発明に係る素子では、感光性分子に吸収される波長の光を照射して、感光性分子内の電子を励起し、電子−正孔対を生じさせる。）」（第５頁第３４行〜第３６行）、
　
（ク）「In the element wherein the photosensitive film and the donor film are successively provided・・・As a result,a charge-separated state is established,whereby completing the writing.（訳：感光性分子膜及びドナー性分子膜が順次形成されている場合、感光性分子膜に隣接する電極の電位が感光性分子の最低非占有分子軌道（ＬＵＭＯ）よりも低ければ励起された電子は電極に遷移し、正孔はドナー性分子に遷移する。感光性分子膜及びアクセプタ性分子膜が順次形成されている場合、励起された電子はアクセプタ性分子膜に遷移し、感光性分子膜に隣接する電極の電位が感光性分子の最高占有分子軌道（ＨＯＭＯ）よりも高ければ正孔は電極に遷移する。この結果、電荷分離状態が形成され、書き込みが行われたことになる。）」（第５頁第３９行〜第４７行）、
　
（ケ）「In the present invention,examples of means for controlling the charge-separated state established by ・・・the time for recombination becomes longer.（訳：本発明において、電子をアクセプタ性分子へ、正孔をドナー性分子へ遷移させて形成された電荷分離状態を制御する手段としては、有機薄膜の膜厚方向に電場を印加する電源、有機薄膜の温度を制御する加熱・冷却源（例えばペルチェ素子）、有機薄膜に特定波長の光を照射する光源などが挙げられる。
　電子と正孔との再結合に要する時間は、一般的には、ドナー性分子のイオン化ポテンシャルが小さいほど、アクセプタ性分子の電子親和力が大きいほど、また分離された電荷間の距離が長いほど、長くなる。したがって、ドナー骨格やアクセプタ骨格、及び導入する置換基を適当に選択することにより、再結合時間を変化させることができる。・・・電荷の再結合時間は、有機薄膜に印加される電場によって変化させることができ、電荷分離状態が有利な方向に電場を印加すれば長くなり、逆方向では短くなる。電荷の再結合時間は、温度によっても変化させることができ、低温では長くなり、高温では短くなる。電荷の再結合時間は、感光性分子膜へのパルス光の照射回数又は連続光の照射時間によっても変化させることができ、光の照射を継続すると再結合時間が長くなる。」（第５頁第４８行〜第６頁第９行）、
　
（コ）「As mentioned above,an optical memory element according to ・・・the transient current is suppressed when there is an internal field due to the charge separation.（訳：以上のように本発明に係る有機光素子では、記憶時間（電荷の再結合時間）を電場、温度、光照射などにより制御できる。したがって、電荷の分離状態を後述する方法で検出し、電荷の分離状態と制御パラメータとの関係を知ることができれば、記憶時間を電極電位（電場）や温度で制御できる可塑性素子として用いることができる。
　本発明の有機光素子において、電荷の分離状態は以下のような種々の方法で検出することができ、これらの方法により記憶を読み出すことができる。　（ａ）ドナー性分子又はアクセプタ性分子のイオン化により生じた新たな波長の吸収を光学的手段により検出する方法。この場合には、書き込み光源とは別の波長を持つ光源が用いられる。
　（ｂ）ドナー性分子及びアクセプタ性分子がイオン化することにより増加した電気伝導度を膜面に沿って測定する方法。電子遷移が生じていない有機薄膜は、ほとんど絶縁体である。一方、電子遷移により生じるキャリアーはドナー性分子間又はアクセプタ性分子間を比較的自由に動くことができるため、電気伝導度が著しく上昇する。電気伝導度は最も変化量が大きい物理量であり、かつ最も精密に測定できる量の一つである。・・・　　　
　（ｃ）電界効果トランジスタのゲート部に本発明に係る有機薄膜を形成し、電荷分離によるトランジスタのスイッチングのしきい値電圧の変化を測定する方法。
　（ｄ）電荷の再結合が起こるように電圧を印加し、そのときに流れる過渡電流を測定する方法。この場合、過渡電流は、電荷分離状態の方が電荷分離していない状態よりも大きい。しかし、この方法では記憶は読みだしと同時に失われる。
　（ｅ）高エネルギーの書き込み光を照射して電荷分離を起こし、電荷分離が保たれた状態で低エネルギーの読みだし光を照射したときに観測される過渡電流を測定する方法。この過渡電流の量は、電荷分離によって内部電界が存在すると抑制される。）」（第６頁第２３行〜第４９行）、
　
（サ）「With referring to Fig.24 showing the energy level of each film of the element,・・・can be controlled by means of voltage or temperature.（訳：図２４に示す各構成膜のエネルギー準位に基づいて、この光記憶素子での書き込みの原理を簡単に説明する。光照射により銅フタロシアニン誘導体（感光性分子）が励起されると電子正孔対が生成し、電子はＩＴＯ電極へ、正孔はパラフェニレンジアミン誘導体（ドナー性分子）のＨＯＭＯへと遷移して電荷分離される。このようにドナー性分子膜に電荷が蓄積された状態が、情報の記憶に対応する
　電荷分離状態は例えば光照射に伴う過渡電流の大きさを測定することにより検出でき、これによって記憶を読み出すことができる。すなわち、電荷分離が保たれた状態と電荷分離していない状態とで低エネルギーの読みだし光を照射したときの過渡電流を比較すると、前者では内部電界が存在するために、後者よりも過渡電流が小さい。）」（第１５頁第１３行〜第３３行）、　
（シ）「１．An organic optical element comprising: an organic thin film comprising a photosensitive molecule film and an organic molecule film having an effect ・・・to receive the charges is a donor molecule film provided on one side of the photosensitive molecule film.（訳：１．感光性分子膜および前記感光性分子膜に隣接して形成され前記感光性分子膜より電荷を受け取る作用を有する有機分子膜を備えた有機薄膜と・・・を有することを特徴とする有機光素子。
　　　２．　・・・・・・・・・・・・・・・・・
　　　３．電荷を受け取る作用を有する有機分子膜が、感光性分子膜の一方の面に設けられたアクセプタ性分子膜であることを特徴とする請求項１記載の有機光素子。
　　　４．電荷を受け取る作用を有する有機分子膜が、感光性分子膜の一方の面に設けられたドナー性分子膜であることを特徴とする請求項１記載の有機光素子。）」（請求項1〜4）と記載され、
　
　図23、28、35、36、47〜49には、電極の間に感光性分子膜と、ドナー性分子膜もしくはアクセプタ性分子膜からなる有機分子膜と、を備えた有機光素子、が図示されている。
　ここで、電極は、少なくとも一方の電極が光透過性を有するものである（引用例第５頁第２５行〜第２６行）。
　
　以上によれば、引用例には、
「少なくとも一方の電極が光透過性を有する電極の間に感光性分子膜と、ドナー性分子膜もしくはアクセプタ性分子膜からなる有機分子膜と、を備えた有機光素子。」（以下「引用発明」という。）が記載されている。
　
３．対比及び判断
3．1　対比
　本件発明と引用発明とを対比すると、
　　
　引用発明の「感光性分子膜」は、各種の色素類からなる感光性分子を用いて構成され（引用例第５頁第９行〜第１１行）、一定波長の光照射により分子内電子が励起され、電子−正孔対を生ずるものであるから（引用例第５頁第３４行〜第３６行）、本件発明の「光電変換層」に相当すると認められる（本件明細書【0018】、【0015】）。
　
　また、引用発明の「有機分子膜」は、ドナー性分子膜もしくはアクセプタ性分子膜からなり、一定波長の光照射に伴い、発生した電荷を受け取ることによって電荷分離状態が形成されるものであり（引用例第３頁第１８行〜第２２行、第５頁第３９行〜第４７行）、それにより電気伝導度（導電性）は上昇し、電荷の再結合時間（記憶時間）は持続するとされるから（引用例第６頁第３３行〜第３７行、第５頁第４８行〜第５６行、第６頁第３行〜第９行）、本件発明の「メモリー層」に相当すると認められる（本件明細書【0043】、【0019】、【0054】）。
　
　さらに、引用発明の「有機光素子」は、光照射により受光感度が変化する機能を有し、この状態が長時間安定に記憶保持されるという特徴を有するものであるから（引用例第５頁第４８行〜第６頁第９行、第６頁第２３行〜第４９行、第１５頁第１３行〜第３３行）、本件発明の「光情報処理素子」に相当すると認められる（本件明細書【0010】、【0069】）。
　
　したがって両者は、「少なくとも一方の電極が光透過性を有する電極の間に光電変換層と、一定の波長の光照射により変化した導電性を光遮断後も持続させる機能を有するメモリー層とを有することを特徴とする光情報処理素子。」の点で一致し、次の点で相違すると認められる。
　 
［相違点］
　本件発明では、「メモリー層」成分として「プロトン酸、トリアリールメタン類、ハロゲン化炭化水素、芳香族ハロゲン化合物、ハロゲン化ケトン化合物、ハロゲン化アシル化合物、酸無水物、及びチオケトンから選ばれる化合物」を含有するものであるのに対して、引用発明では、「ドナー性分子もしくはアクセプタ性分子」を含有するものである点。
　
3．2　判断
［相違点］について
　引用例においては、「ドナー性分子」及び「アクセプタ性分子」について具体例を列挙しており（引用例第４頁第５６行〜第５頁第８行）、それによれば、「アクセプタ性分子」として「クロロベンゾキノン、ジクロロベンゾキノン、トリクロロベンゾキノン、ジクロロジシアノベンゾキノン」などの「芳香族ハロゲン化合物」に属する化合物の使用を教示している（引用例第５頁第４行）。したがって、「メモリー層」が「芳香族ハロゲン化合物」を含有するものである点については、実質的な相違点とはいえない。
　
　また、「メモリー層」成分である「トリアリールメタン類」及び「酸無水物」については、「ドナー性物質」及び「アクセプタ性物質」として夫々周知慣用なものであるから（例えば、特開昭５９−１５５８４４号公報（第３頁左下欄第９〜１０行、第２頁右上欄第２０行〜左下欄第３行）、特開昭５５−９５５８号公報（第２頁右下欄第３〜４行、１０〜１２行））、引用発明の「有機分子膜（メモリー層）」成分として、「トリアリールメタン類」及び「酸無水物」を使用することは、当業者が容易に想到し得ることと認められる。
　
　また、本件発明の効果は、引用発明においても同様に奏されている（引用例の実施例15,16,18,19等）。
　
（なお、本件審判請求人は審判請求書において、引用発明では、電荷の移動を抑えるため、有機薄膜と電極の間に「絶縁性薄膜」を設けているのに対して、本件発明はそのような構成を必要としない点でも、両者は相違する旨主張するけれども（審判請求書第２〜３頁）、引用例は、「有機薄膜と少なくとも一方の電極との間に
絶縁性薄膜を設けることが好ましい。
　　
４．むすび
　以上のとおりであるから、本件の請求項１に係る発明は、引用例に記載された発明及び周知技術に基づいて、当業者が容易に発明をすることができたものであり、特許法第２９条第２項の規定により特許を受けることができない。
　よって、結論のとおり審決する。